(57)【要約】【課題】アイロン掛けの作業中にアイロン掛けを一時的に中止する際に、アイロン台上にあるアイロンを、その加熱面（下面）をアイロン台の上面に沿って滑らせることにより、アイロン載置部上に移すことができるようにする。【解決手段】アイロン台（１）の一端にはアイロン載置部（５）を、該アイロン載置部の上面（５ａ）がアイロン台の上面（１ａ）と連続し且つアイロン台の上面と同一の高さになるように、配設し、該アイロン載置部は耐熱性を備えた材料により形成し、該アイロン載置部におけるアイロン台の上面と連続する縁部（７ａ）を除く縁部（７ｂ）（７ｃ）（７ｄ）にアイロンの落下を防止するための落下防止手段（１１）を備えさせたことを特徴とするアイロン台。【選択図】図１
2005237655.tif 000002
【特許請求の範囲】
【請求項１】
アイロン台の一端にはアイロン載置部を、該アイロン載置部の上面がアイロン台の上面と連続し且つアイロン台の上面と同一の高さになるように、配設し、該アイロン載置部は耐熱性を備えた材料により形成し、該アイロン載置部におけるアイロン台の上面と連続する縁部を除く縁部にアイロンの落下を防止するための落下防止手段を備えさせたことを特徴とするアイロン台。
【請求項２】
前記アイロン載置部はアイロンの蒸気を通過させる透孔を備えていることを特徴とする請求項１に記載のアイロン台。
【請求項３】
アイロン台の一端には、アイロンの電気コードを支持する電気コード支持手段を起伏自在に備えさせたことを特徴とする請求項１又は２に記載のアイロン台。
【発明の詳細な説明】
【技術分野】
【０００１】
本発明は、アイロン台に関するものである。
【背景技術】
【０００２】
特開平６−１９８０９９号公報は、一端にアイロン載置体を付設したアイロン台を開示している。このアイロン載置体は、アイロン掛けの作業中にアイロンを一時的に載置するようにしたものである。
【０００３】
上記アイロン台のアイロン載置体には、アイロンの後端部が下になり、アイロンの加熱面がアイロン載置体と略直角の上下方向になるようにアイロンを立てた状態で載置される。
【特許文献１】特開平６−１９８０９９号公報
【発明の開示】
【発明が解決しようとする課題】
【０００４】
しかるに、上記従来のアイロン台においては、アイロン掛けの作業中にアイロンをアイロン載置体に載置する度に、アイロンをアイロン台の上面から持ち上げ、アイロンの後端部が下になり、アイロンの加熱面がアイロン載置体と略直角の上下方向になるようにした状態で、アイロンをアイロン載置体上に載置しなければならない。また、アイロン載置体上に載置したアイロンを再度使用する際には、立てた状態でアイロン載置体に載置されているアイロンを持ち上げ、再びアイロン台の上面に移さなければならない。
【０００５】
アイロン掛けの最中にこのような作業を繰り返すことは、面倒であって、アイロン掛けの作業効率を低下させると共に、アイロン掛け作業者を疲れさせる原因となる。
【０００６】
また、アイロン掛けの作業中にアイロン台上にてアイロンを動かす際に、アイロンの電気コードが作業者の腕等にまとわりついて作業の邪魔になることもしばしばある。
【０００７】
本発明は、従来のアイロン台における上述の如き問題を解決しようとしてなされたものである。
【課題を解決するための手段】
【０００８】
上記課題を解決するために、本発明は、下記のアイロン台を提供する。
【０００９】
（１）アイロン台の一端にはアイロン載置部を、該アイロン載置部の上面がアイロン台の上面と連続し且つアイロン台の上面と同一の高さになるように、配設し、該アイロン載置部は耐熱性を備えた材料により形成し、該アイロン載置部におけるアイロン台の上面と連続する縁部を除く縁部にアイロンの落下を防止するための落下防止手段を備えさせたことを特徴とするアイロン台（請求項１）。
【００１０】
（２）前記アイロン載置部はアイロンの蒸気を通過させる透孔を備えている（請求項２）。
【００１１】
（３）アイロン台の一端には、アイロンの電気コードを支持する電気コード支持手段を起伏自在に備えさせる（請求項３）。
【００１２】
［発明の作用］
［請求項１の発明］
アイロン掛けの作業中にアイロン掛けを一時的に中止する際には、アイロン台上にあるアイロンをアイロン台の上面に沿って滑らせて、アイロン載置部上に移す。即ち、アイロン載置部はその上面がアイロン台の上面と連続し且つアイロン台の上面と同一の高さにあるため、アイロンの加熱面（下面）をアイロン台の上面に沿って滑らせることにより、アイロンをアイロン載置部上に移すことが可能である。アイロン載置部上に移されたアイロンは、アイロン掛けの作業中と同様に、加熱面を水平方向にした姿勢のままである。
【００１３】
アイロン載置部上に移されたアイロンにより再びアイロン掛けを行なう際には、アイロンの加熱面をアイロン載置部の上面とアイロン台の上面とに沿って滑らせることにより、アイロンをアイロン台の上面に移す。
【００１４】
換言すれば、アイロンは、アイロン載置部上にあるときも、アイロン台の上面とアイロン載置部の上面との間を移動させるときも、常に加熱面を水平方向にした姿勢が保持される。
【００１５】
アイロン載置部は耐熱性を備えた材料により形成されているため、アイロン掛けの作業中にアイロン掛けを一時的に中止する際に、加熱面が高温になっている状態でアイロンをアイロン載置部に移しても全く支障がない。
【００１６】
アイロン載置部は縁部にアイロンの落下を防止するための落下防止手段を備えているため、加熱面が高温になっているアイロンがアイロン載置部から落下する危険はない。
【００１７】
［請求項２の発明］
アイロン載置部はアイロンの蒸気を通過させる透孔を備えているため、スチームアイロンをアイロン載置部に載置しても全く支障がない。
【００１８】
［請求項３の発明］
アイロン台の一端に備えさせた電気コード支持手段を起立させ、該電気コード支持手段にアイロンの電気コードを支持させたときには、アイロンの電気コードはアイロン台の上方に位置するため、該電気コードが作業者の腕等にまとわりついてアイロン掛け作業の邪魔になるおそれはない。
【発明の効果】
【００１９】
［請求項１の発明］
アイロン掛けの作業中にアイロン掛けを一時的に中止する際には、アイロンの加熱面をアイロン台の上面に沿って滑らせることにより、アイロンをアイロン載置部上に移すことができる。また、アイロン載置部上に移されたアイロンにより再びアイロン掛けを行なう際には、アイロンの加熱面をアイロン載置部の上面とアイロン台の上面とに沿って滑らせることにより、アイロンをアイロン台の上面に移すことができる。従って、アイロン掛けの作業効率が高まり、アイロン掛け作業者の疲れが軽減される。
【００２０】
［請求項２の発明］
アイロン載置部はアイロンの蒸気を通過させる透孔を備えているため、スチームアイロンをアイロン載置部に載置しても全く支障がない。
【００２１】
［請求項３の発明］
アイロン台の一端に備えさせた電気コード支持手段を起立させ、該電気コード支持手段にアイロンの電気コードを支持させたときには、アイロンの電気コードはアイロン台の上方に位置するため、該電気コードが作業者の腕等にまとわりついてアイロン掛け作業の邪魔になるおそれはない。
【発明を実施するための最良の形態】
【００２２】
符号１に示すものはアイロン台である。アイロン台１は、下面１ｂに脚部３、３を備えている。脚部３、３は、好ましくは、折り畳み自在である。
【００２３】
アイロン台１の一端には、アイロン載置部５を、該アイロン載置部５の上面５ａがアイロン台１の上面１ａと連続し且つアイロン台１の上面１ａと同一の高さになるように、配設する。
【００２４】
アイロン載置部５は、例えば合成樹脂、不織布、金属等の耐熱性を備えた材料により形成する。
【００２５】
アイロン載置部５におけるアイロン台１の上面１ａと連続する縁部７ａを除く縁部７ｂ、７ｃ、７ｄにアイロン９の落下を防止するための落下防止手段１１を備えさせる。
【００２６】
図示の事例においては、落下防止手段１１として、アイロン台１の前記縁部７ｂ、７ｃ、７ｄに周壁を立設しているが、落下防止手段１１は、アイロン９がアイロン台１から落下することを防止し得るものであれば、いかなるものであってもよい。
【００２７】
アイロン載置部５は、好ましくは、図３に示すように、アイロン９の蒸気を通過させる透孔１３、１３・・・を備えている。
【００２８】
アイロン載置部５は、例えば、多孔板、メッシュ等により形成する。
【００２９】
アイロン台１の一端には、好ましくは、アイロン９の電気コード１５を支持する電気コード支持手段１７を起伏自在に備えさせる。
【００３０】
図示の事例における電気コード支持手段１７は、先端２１ａに電気コード挿通手段１９を備えた棒状体２１の基端２１ｂをアイロン台１の一端に枢着し、該棒状体２１が起立した位置とアイロン台１の下面１ｂに沿った位置との間で基端２１ｂを回動中心として回動自在になるようにしてなるものである。電気コード挿通手段１９は、アイロン９の電気コード１５を挿通させるものであればいかなるものであってもよい。電気コード挿通手段１９としては、例えば、一部を開閉自在とした環状体、略Ｕ字状体等を使用する。また、棒状体２１を起立した位置とアイロン台１の下面１ｂに沿った位置とにそれぞれ解除自在にロックするロック手段２３、２５を備えさせる。
【図面の簡単な説明】
【００３１】
【図１】本発明によるアイロン台の一例を示す斜視図である。
【図２】同上アイロン台の平面図である。
【図３】本発明によるアイロン台の別の一例を示す側面図である。
【図４】アイロン台の上面とアイロン載置部の上面との関係を示す説明図である。
【符号の説明】
【００３２】
１  アイロン台
１ａ  上面
１ｂ  下面
３  脚部
５  アイロン載置部
５ａ  上面
７ａ  縁部
７ｂ  縁部
７ｃ  縁部
７ｄ  縁部
９  アイロン
１１  落下防止手段
１３  透孔
１５  電気コード
１７  電気コード支持手段
１９  電気コード挿通手段
２１  棒状体
２１ａ  先端
２１ｂ  基端
２３  ロック手段
２５  ロック手段
【図１】
2005237655.tif 000003
【図２】
2005237655.tif 000004
【図３】
2005237655.tif 000005
【図４】
2005237655.tif 000006